(57)【要約】【課題】加熱ローラの表面又は表面近傍の外層に、電磁誘導発熱層を容易に形成でき、加熱効率が優れた定着装置を提供する。【解決手段】互いに表面で圧接して回動する加熱ローラ２及び加圧ローラ４と、加熱ローラ２を外方から加熱する電磁誘導加熱手段３とを備え、加熱ローラ２と加圧ローラ４との圧接ニップ部で現像剤を転写した記録材Ｐを挟持搬送し、未定着の現像剤を定着させる定着装置１であって、加熱ローラ２は、円筒型支持部３１の外周面に短冊の磁性金属箔３０を螺旋状に巻き付けて形成される。【選択図】　図１
2004117864.tif 000002
【特許請求の範囲】
【請求項１】
互いに表面で圧接して回動する加熱ローラ及び加圧ローラと、前記加熱ローラを外方から加熱する電磁誘導加熱手段とを備え、
前記加熱ローラと加圧ローラとの圧接ニップ部で現像剤を転写した記録材を挟持搬送し、未定着の現像剤を定着させる定着装置であって、
前記加熱ローラは、円筒型支持部の外周面に短冊の磁性金属箔を螺旋状に巻き付けたことを特徴とする定着装置。
【請求項２】
互いに表面で圧接して回動する加熱ローラ及び加圧ローラと、前記加熱ローラを外方から加熱する電磁誘導加熱手段とを備え、
前記加熱ローラと加圧ローラとの圧接ニップ部で現像剤を転写した記録材を挟持搬送し、未定着の現像剤を定着させる定着装置であって、
前記加熱ローラは、弾性体から成る円筒型支持部の外周面に短冊の磁性金属箔を螺旋状に巻き付けたことを特徴とする定着装置。
【請求項３】
前記円筒型支持部は、断熱材であることを特徴とする請求項１又は請求項２に記載の定着装置。
【請求項４】
前記短冊の磁性金属箔は、その長手方向に沿った両側縁が厚み方向に傾斜面を有し、この傾斜面が厚み方向で重なるように前記円筒型支持部に巻き付けられていることを特徴とする請求項１乃至請求項３の何れか記載の定着装置。
【請求項５】
前記円筒型支持部の外周面において、前記磁性金属箔の互いに隣接する両側縁間の間隙に、導電性の充填材を充填したことを特徴とする請求項１乃至請求項４の何れか記載の定着装置。
【請求項６】
前記円筒部の外周面において、前記磁性金属箔の互いに隣接する両側縁間の間隙に沿って、この両側縁間が導通するように導電テープを巻き付けたことを特徴とする請求項１乃至請求項４の何れか記載の定着装置。
【請求項７】
前記磁性金属箔は、該磁性金属箔の幅方向の縁端部が互いに重なり合うように前記円筒部の外周面に巻き付けられていることを特徴とする請求項１乃至請求項３の何れか記載の定着装置。
【請求項８】
前記磁性金属箔は、前記円筒型支持部の表面に螺旋状に巻き付けた第一層と、この第一層の上面に異なる巻き形で螺旋状に巻き付けた第二層とからなることを特徴とすることを特徴とする請求項１乃至請求項３の何れか記載の定着装置。
【請求項９】
前記磁性金属箔の表面に、熱伝導層を形成したことを特徴とする請求項１乃至請求項８の何れか記載の定着装置。
【請求項１０】
前記加熱ローラの表面に、前記現像剤の離型層を形成したことを特徴とする請求項１乃至請求項９の何れか記載の定着装置。
【請求項１１】
記録材に現像剤を転写し未定着像を形成する転写手段と、前記未定着像を記録材に定着させる定着手段とを有する画像形成装置において、前記定着手段は、請求項１乃至請求項１０の何れか記載の定着装置であることを特徴とする画像形成装置。
【発明の詳細な説明】
【０００１】
【発明の属する技術分野】
本発明は、記録材上に転写した現像剤を定着させるための定着装置及びこれを用いた画像形成装置に関する。
【０００２】
【従来の技術】
レーザプリンタ等の画像形成装置において、記録材上に転写した現像剤を定着させるための一般的な定着装置は、例えば円筒状の加熱ローラと、この加熱ローラに平行して接触する加圧ローラとを備えており、前記加熱ローラと加圧ローラとの間に例えば記録用紙などの記録材を通過させ、前記加熱ローラの熱（例えば、１５０℃前後に加熱されている）により前記記録材に転写されている例えばトナーなどの未定着の現像剤を当該記録材に定着させる構成を有する。
【０００３】
そして、加熱ローラを加熱するために、ハロゲンランプを加熱源にしたものや電磁誘導加熱装置を加熱源としたものがある。
加熱ローラを加熱するためにハロゲンランプを加熱源とした定着装置は、中空状の加熱ローラの内部にハロゲンランプが配置され、このハロゲンランプに電流を流すことによってハロゲンランプから赤外線が放射されて加熱ローラの内壁に到達し加熱され、加熱ローラの表面に熱伝導するものである。この構成によれば、加熱ローラ内にハロゲンランプを配置するための固定具や電気回路との接続部品等が必要となり、この固定具及び接続部品等を含み用紙に接触していない部分も一様に温められるので、大気中に無駄に拡散される熱量が大きく、エネルギーの無駄が多く、ハロゲンランプに電流を印加してから加熱ローラが現像剤の定着温度（１５０℃前後）に到達するまでのウォーミングアップ時間が長いものとなる。
【０００４】
一方、前述のウォーミングアップ時間を短縮するものとして、加熱ローラを加熱するために、電磁誘導加熱装置を加熱源とした定着装置がある。
電磁誘導加熱装置を加熱源とした定着装置は、加熱ローラの記録材との接触部位の反対側において、電磁誘導加熱装置を配置している。この電磁誘導加熱装置は、加熱ローラの長手方向に沿うように、磁性体コアに巻回されたコイルを配設し、このコイルに交流磁界を与えることによって加熱ローラを加熱している。
【０００５】
加熱ローラは、鉄製の芯金シリンダを芯材として備え、この芯材の外周に断熱層で覆い、この断熱材の外周面にニッケルなどの金属を電鋳加工によって形成した電磁誘導発熱層を備えたものがある。（例えば、特許文献１参照）
【０００６】
【特許文献１】
特開２０００−２１４７０２号公報（第３−４頁、第１図）
【０００７】
【発明が解決しようとする課題】
しかしながら、特許文献１に開示された定着装置によれば、加熱ローラの電磁誘導発熱層が電鋳加工によって形成されているので、製造コストが高価となり、生産性が損なわれるという問題があった。また、鉄製の芯金シリンダを支持体として備えているので、芯金シリンダ自身がコイルの交流磁界を受けて発熱し、加熱ローラ表面を加熱する加熱効率を損なう虞があるという問題があった。
【０００８】
本発明は、こうした問題に鑑みなされたものであり、加熱ローラを加熱するために電磁誘導加熱装置を備えた定着装置において、加熱ローラの表面又は表面近傍の外層に、電磁誘導発熱層を容易に形成でき、加熱ローラ表面を定着温度に加熱するための熱容量が小さく、電磁誘導加熱手段を起動すると速かに加熱ローラの表面に定着可能な温度が得られ、加熱効率が優れた定着装置を提供することを目的とする。
【０００９】
【課題を解決するための手段及び発明の効果】
かかる目的を達成するためになされた請求項１記載の発明は、互いに表面で圧接して回動する加熱ローラ及び加圧ローラと、前記加熱ローラを外方から加熱する電磁誘導加熱手段とを備え、前記加熱ローラと加圧ローラとの圧接ニップ部で現像剤を転写した記録材を挟持搬送し、未定着の現像剤を定着させる定着装置であって、前記加熱ローラは、円筒型支持部の外周面に短冊の磁性金属箔を螺旋状に巻き付けたことを特徴とする。
【００１０】
請求項１に記載の発明によれば、加熱ローラの円筒型支持部の表面に短冊の磁性金属箔を螺旋状に巻くことで、電磁誘導発熱層を容易に形成できる。また、磁性金属箔を用いて電磁誘導発熱層を薄膜に形成できるので、電磁誘導発熱層の熱容量を小さくでき、電磁誘導加熱手段を起動すると、加熱ローラの表面が速かに定着可能な温度になり、加熱効率が優れた定着装置を得ることができる。
【００１１】
次に、請求項２に記載の発明は、互いに表面で圧接して回動する加熱ローラ及び加圧ローラと、前記加熱ローラを外方から加熱する電磁誘導加熱手段とを備え、
前記加熱ローラと加圧ローラとの圧接ニップ部で現像剤を転写した記録材を挟持搬送し、未定着の現像剤を定着させる定着装置であって、前記加熱ローラは、弾性体から成る円筒型支持部の外周面に短冊の磁性金属箔を螺旋状に巻き付けたことを特徴とする。
【００１２】
請求項２に記載の発明によれば、加熱ローラの円筒型支持部が弾性体であるので、円筒型支持部に対して記録材の剥離が容易であり、記録材を良好に挟持搬送できる。また、円筒型支持部の外周面に短冊の磁性金属箔を螺旋状に巻き付けることで、円筒形状を精度良く得ることができる。例えば、螺旋巻きをせずに、長手方向両端同士をつなぎ合わせた場合、金属の弾性復元により、そのつなぎ合わせ部分が稜線（回転中心軸に平行に延びる稜線）として突き出してしまい、精度の良い円筒形状を得ることが難しいが、螺旋巻きをすれば、長手方向両端同士をつなぎ合わせが無いので稜線の突出も無く、円筒形状を精度良く得ることができる。
【００１３】
次に、請求項３に記載の発明は、請求項１又は請求項２に記載の定着装置において、前記円筒型支持部は、断熱材であることを特徴とする。
請求項３に記載の発明によれば、円筒型支持部を断熱材にすることにより、磁性金属箔から円筒型支持部に向かう熱伝導を遮断でき、電磁誘導加熱手段を起動すると、加熱ローラの表面がさらに速かに定着可能な温度になり、加熱効率が優れた定着装置を得ることができる。
【００１４】
次に、請求項４に記載の発明は、請求項１乃至請求項３の何れか記載の定着装置において、前記短冊の磁性金属箔は、その長手方向に沿った両側縁が厚み方向に傾斜面を有し、この傾斜面が厚み方向で重なるように前記円筒型支持部に巻き付けられていることを特徴とする。
【００１５】
請求項４に記載の発明によれば、磁性金属箔の両側縁に傾斜面を沿った両側縁が厚み方向に傾斜面を有するので、この傾斜面が重なるように巻きつけることができる。そして、円筒型支持部の外周面において、磁性金属箔の両側縁の傾斜面が重なることで磁性金属箔の隣接部同士が導通し、加熱ローラの軸方向に沿って非発熱部が発生せず、加熱ローラ表面の発熱分布が均一であって、加熱ローラを効率良く加熱できる。
【００１６】
次に、請求項５に記載の発明は、請求項１乃至請求項４の何れか記載の定着装置において、前記円筒型支持部の外周面において、前記磁性金属箔の互いに隣接する両側縁間の間隙に、導電性の充填材を充填したことを特徴とする。
請求項５に記載の発明によれば、磁性金属箔の隣接部同士が導通し、加熱ローラの軸方向に沿って非発熱部が発生せず、発熱分布が均一であって、加熱ローラを効率良く加熱できる。
【００１７】
次に、請求項６に記載の発明は、請求項１乃至請求項４の何れか記載の定着装置において、前記円筒型支持部の外周面において、前記磁性金属箔の互いに隣接する両側縁間の間隙に沿って、この両側縁間が導通するように導電テープを巻き付けたことを特徴とする。
【００１８】
請求項６に記載の発明によれば、磁性金属箔の隣接部同士が導通し、加熱ローラの軸方向に沿って非発熱部が発生せず、発熱分布が均一であって、加熱ローラを効率良く加熱できる。
次に、請求項７に記載の発明は、請求項１乃至請求項３の何れか記載の定着装置において、前記磁性金属箔は、該磁性金属箔の幅方向の縁端部が互いに重なり合うように前記円筒型支持部の外周面に巻き付けられていることを特徴とする。
【００１９】
請求項７に記載の発明によれば、磁性金属箔の隣接部同士が導通し、加熱ローラの軸方向に沿って非発熱部が発生せず、発熱分布が一定であって、加熱ローラを効率良く加熱できる。
次に、請求項８に記載の発明は、請求項１乃至請求項３の何れか記載の定着装置において、前記磁性金属箔は、前記円筒型支持部の表面に螺旋状に巻き付けた第一層と、この第一層の上面に異なる巻き形で螺旋状に巻き付けた第二層とからなることを特徴とすることを特徴とする。
【００２０】
請求項８に記載の発明によれば、磁性金属箔の隣接部同士が導通し、加熱ローラの軸方向に沿って非発熱部が発生せず、発熱分布が均一であって、加熱ローラを効率良く加熱できる。
次に、請求項９に記載の発明は、請求項１乃至請求項８の何れか記載の定着装置において、前記磁性金属箔の表面に、熱伝導層を形成したことを特徴とする。
【００２１】
請求項９に記載の発明によれば、磁性金属箔の表面に熱伝導層を形成したので、加熱ローラ表面の温度バラツキを低減させることができる。
次に、請求項１０に記載の発明は、請求項１乃至請求項９の何れか記載の定着装置において、前記加熱ローラの表面に、前記現像剤の離型層を形成したことを特徴とする。
【００２２】
請求項１０に記載の発明によれば、加熱ローラの表面に離型層を形成したので、現像剤を定着させた記録材を加熱ローラから容易に剥離できる。
次に、請求項１１記載の発明は、記録材に現像剤を転写し未定着像を形成する転写手段と、前記未定着像を記録材に加熱定着させる定着手段とを有する画像形成装置において、前記定着手段は、請求項１乃至請求項１０の何れか記載の定着装置であることを特徴とする。
【００２３】
請求項１１に記載の画像形成装置によれば、優れた加熱効率を有するとともに製造が容易な定着手段を備えたので、画像の定着性と再現性、生産性等を向上させることができる。
【００２４】
【発明の実施の形態】
（実施の形態１）
以下、本発明の実施の形態１を図面と共に説明する。
図１は、本発明が適用された実施例の定着装置の構成を表す外観斜視図、図２は図１における矢視Ｄ図、図３は図２におけるＹ−Ｙ断面図、図４は図１におけるＺ−Ｚ断面図、図５は図１における加熱ローラの磁性金属箔の巻き形状を表す外観図、図７（ａ）は図１における加熱ローラを表す断面図である。
【００２５】
図１〜図４において、１は定着装置であり、この定着装置１は、互いに表面で圧接して回動する加熱ローラ２及び加圧ローラ４と、加熱ローラ２を外方から加熱する電磁誘導加熱手段３と、定着装置１を機器の所定位置に固定する固定具５とを備え、加熱ローラ２と加圧ローラ４との圧接ニップ部で、例えばトナーなどの現像剤を転写した記録用紙Ｐを挟持搬送する共に、未定着の現像剤を溶融して記録用紙Ｐに定着するものである。
【００２６】
加熱ローラ２は、両端部７に回転軸２０が一体に突き出して形成されており、この回転軸２０が支持体６に形成された軸受け１３に支持されることにより、回転自在に構成されている。
また、加熱ローラ２は、この加熱ローラ２の外周面と加圧ローラ４の外周面との間に記録用紙Ｐ（所謂、記録材に相当する）を挟持し、加熱ローラ２及び加圧ローラ４が回転することにより記録用紙Ｐを回転方向に搬送する。
【００２７】
そして、加熱ローラ２は、図５に示すように回転軸２０に断熱材及び弾性体から成る円筒型支持部３１が固設され、その表面に磁性金属箔３０（所謂、電磁誘導発熱層である）が螺旋状に巻き付けられている。
更に、加熱ローラ２は、図７（ａ）に示すように磁性金属箔３０の上面に熱伝導層４０が積層され、熱伝導層４０の上面に現像剤の離型層４１が積層されることにより構成されている。そして、磁性金属箔３０は、電磁誘導加熱手段３により加熱するために、導電性と磁性とを有する材料（例えば、５０μｍ厚みの炭素鋼やニッケル、ステンレスなどのフィルム）を用いて形成され、短冊の長手方向に沿った両側縁が厚み方向に傾斜面３２、３３を有し、この傾斜面３２、３３が厚み方向で重なるように円筒型支持部３１に巻き付けられている。
【００２８】
円筒型支持部３１は、加熱ローラ２の表面を効率良く加熱できるように断熱性、非磁性、非導電性、耐熱性等を有し、且つ、加熱ローラ２から記録用紙Ｐが容易に剥離できるように弾性を有する樹脂によって形成されている。
また、熱伝導層４０は、高熱伝導を有する金属ペーストを用い、この金属ペーストを磁性金属箔３０の上面に塗布して焼き付け、形成されている。
【００２９】
また、現像剤の離型層４１は、記録材に定着された現像剤に対して剥離性の良好なフッソ樹脂やシリコーン樹脂等を熱伝導層４０の上面に塗布することにより形成されている。
次に、加圧ローラ４は、電磁誘導加熱手段３の加熱効率を高めるために、断熱性、非磁性、非導電性、耐熱性等を有する樹脂によって形成されている。
【００３０】
そして、加圧ローラ４は、加熱ローラ２の円筒形外周面に沿って接するように配設され、両端部に形成された回転軸２３が固定具５に形成した軸受け部２４に支持されて回転自在に構成され、加熱ローラ２の外周面との間に記録用紙Ｐを挟持し搬送できるように構成されている。
【００３１】
また、加圧ローラ４の回転軸２３の一方は、固定具５の軸受け部２４に支持されると共に、固定具５の外面より突き出し、駆動モータ（図示せず）の回転軸１５とギア２５を介して接続して構成されている。これによって、駆動モータから加圧ローラ４にＲ方向の回転力を伝達し、加圧ローラ４加熱ローラ２の外周面が互いに接することで、加熱ローラ２がＱ方向に連れ回るように構成されている。
【００３２】
次に、電磁誘導加熱手段３は、加熱ローラ２の外方に、加熱ローラ２の回転方向Ｑに直交する軸線方向Ｘの両端７及びその軸線方向に平行な両辺８を含む外周囲に沿って筒状にのびる支持体６と、加熱ローラ２の中心軸を筒状部の内方に含むようにに支持体６の外面に巻き付けられたコイル９と、このコイル９に交番電流を印加するための励磁回路部１８とより構成されている。
【００３３】
そして、コイル９に交番電流を流すことによって、加熱ローラ２の磁性金属箔３０の表面に沿って渦電流が流れて熱変換され、加熱ローラ２が加熱される。
支持体６には、電磁誘導加熱手段４の加熱効率を高めるために、断熱性、非磁性、非導電性等を有する耐熱樹脂によって形成されている。
【００３４】
また、支持体６には、加熱ローラ２の回転方向Ｑに直交する軸線方向の両端７及びその軸線方向に平行な両辺８を含む外周囲に沿って筒状にのびる側壁１１、１２が形成されている。そして、筒状の支持体６の側壁１１、１２は、図２、図４に示すように、加熱ローラ２の軸線方向の両辺８に沿って平行に形成され、側壁１１、１２の外周面に沿ってコイル９が筒状に巻き付けられる。
【００３５】
また、支持体６には、加熱ローラ２を回転自在に支持すると共に、加熱ローラ２とコイル９との相対位置を精度良く維持するために、図３に示すように加熱ローラ２の回転軸２０を支持する軸受け１３が形成され、軸受け１３に加熱ローラ２の回転軸２０が挿入されている。
【００３６】
また、支持体６は、加熱ローラ２の軸線方向の両端７側に位置する筒状部の隅部１７が、コイル９が加熱ローラ２の回転方向に直交する軸線方向の両端７からその軸線方向に平行な両辺８に向けて曲線状に巻き付けることができるように曲線状に形成されている。
【００３７】
コイル９は、コイル９の抵抗値の増加を抑制するために、例えばエナメルなどの絶縁皮膜で被覆した導電線を複数本撚り合わせた撚り線を用いて形成されている。
そして、コイル９は、筒状の支持体６の外周面に沿って、筒状に巻きつけられ、且つ、加熱ローラ２の回転方向に直交する軸線方向の両端７からその軸線方向に平行な両辺８に向けて曲線状に巻き付けられている。
【００３８】
また、コイル９を巻き付ける支持体６の両側壁１１、１２の外周面を互いに平行となるように形成したので、コイル９は、加熱ローラ２の軸方向の両辺８に沿って相対向する側壁が平行となる筒状に構成されている。
固定具５は、電磁誘導加熱の加熱効率を高めるために、断熱性、非磁性、非導電性、耐熱性等を有する樹脂によって形成されている。
【００３９】
そして、固定具５は加熱ローラ２の軸線方向の両端７側にあって、支持体６の内側に配置され、支持体６と連結する連結部２２と、後述する加圧ローラ４の回転軸２３を支持する軸受け部２４とが形成され、この固定具５の延長部先端は、筐体（図示せず）に固定されている。そして、固定具５を介して、定着装置１が、例えば画像形成装置などの機器の所定位置に設置される。
【００４０】
以下に、前記の構成を有する実施形態１の定着装置の作用効果を記載する。
実施の形態１の定着装置１によれば、加熱ローラ２の円筒型支持部３１の表面には短冊の磁性金属箔３０を螺旋状に巻くことで、容易に電磁誘導発熱層を形成することができて加熱ローラの生産性を向上できる。また、電磁誘導加熱される磁性金属箔３０は、薄膜に形成できるので、熱容量を小さくでき、電磁誘導加熱手段３を起動後、速く定着可能な温度が得られ、加熱効率が良好である。
【００４１】
また、実施の形態１の定着装置１によれば、加熱ローラ２の円筒型支持部３１を弾性体によって形成し、この外周面に短冊の磁性金属箔３０を螺旋状に巻いて加熱ローラ２を形成しているので、加熱ローラ２表面から記録用紙Ｐを容易に剥離でき、記録用紙Ｐを良好に挟持搬送できる。
【００４２】
また、実施の形態１の定着装置１によれば、加熱ローラ２の円筒型支持部３１を、断熱材を用いて形成しているので、磁性金属箔３０から熱が円筒型支持部３１への熱伝導を抑制でき、電磁誘導加熱手段３を起動後、加熱ローラがさらに速く定着可能な温度になる。
【００４３】
また、実施の形態１の定着装置１によれば、加熱ローラ２の円筒型支持部３１の表面に短冊の磁性金属箔３０を螺旋状に巻くことで、電磁誘導発熱層を容易に形成できる。また、磁性金属箔３０を用いて電磁誘導発熱層を薄膜に形成できるので、電磁誘導発熱層の熱容量を小さくでき、電磁誘導加熱手段３を起動すると、加熱ローラ２の表面が速かに定着可能な温度になり、加熱効率が優れた定着装置を得ることができる。
【００４４】
また、加熱ローラ２の磁性金属箔３０の両側縁に傾斜面３２、３３を形成し、この傾斜面３２、３３が重なるように巻きつけたので、熱ローラ２の軸方向に沿って非発熱部が発生することなく、加熱ローラ２表面の発熱分布が一定であって、加熱ローラ２を効率良く加熱できる。
【００４５】
また、実施の形態１の定着装置１によれば、磁性金属箔３０の表面に、熱伝導層４０を形成し、さらにその表面に離型層４１を形成したので、加熱ローラ２の表面の温度バラツキを低減でき、且つ、記録用紙Ｐに現像剤を定着させた後に、記録用紙Ｐを加熱ローラ２から容易に剥離できる。
【００４６】
また、実施の形態１の定着装置によれば、加熱ローラ２の軸線方向の両端７及びその軸線方向に平行な両辺８を含む外周囲に沿って筒状にのびる支持体６を有し、その支持体６の内方に加熱体ローラ２の少なくとも一部を位置させると共に、この支持体６の外周面にコイル９を巻き付けたので、コイル９を容易に巻き付けることができ、コイル９と加熱ローラ２との位置精度も良好にでき、加熱ロ−ラ２表面の温度バラツキが少なく、加熱効率が良好な定着装置１を得ることができる。
【００４７】
また、加熱ローラ２の外方に配設した支持体６、固定具５等を、断熱性、非導電性、非磁性、耐熱性等を有する樹脂を用いて形成したので、加熱ローラ２が高温に加熱されてもコイル９の温度上昇を防止できてコイル９の電気抵抗の増加を低減でき、支持体６や固定具５自体の発熱が無く、加熱効率が良好な定着装置１を得ることができる。
【００４８】
（変形例）
次に、図６、図７を用いて、本発明の定着装置における加熱ローラ２の変形例について説明する。図６は加熱ローラ２の第１の変形例を表す外観図であり、図７（ｂ）〜（ｅ）は加熱ローラ２の第２〜第５の変形例を表す断面図である。
【００４９】
先ず、第１の変形例では、図６に表したように、加熱ローラ２が、弾性体からなる円筒型支持部３１の表面に磁性金属箔３０を螺旋状に巻き付けることにより構成されている。この際、磁性金属箔３０は、円筒型支持部３１表面に螺旋状に巻き付けた第一層（図６中、螺旋状のかくれ線で表している）と、この第一層の上面に異なる巻き形で螺旋状に巻き付けた第二層（図６中、螺旋状の実線で表している）とからなり、磁性金属箔３０の幅方向の縁端部が互いに重なり合うように巻き付けられている。
【００５０】
第１の変形例によれば、磁性金属箔３０の隣接部同士が導通し、加熱ローラ２の軸方向に沿って非発熱部が発生せず、発熱分布が一定であって、加熱ローラ２を効率良く加熱できる。
次に、第２の変形例は、図７の（ｂ）に表したように、加熱ローラ４２は、弾性体からなる円筒型支持部３１の表面に磁性金属箔３０が螺旋状に巻き付けて構成されている。この際、円筒型支持部３１の表面において、磁性金属箔の互いに隣接する両側縁間の間隙３６に沿って、この両側縁が導通するように導電テープ３５が巻き付けられている。
【００５１】
第２の変形例によれば、磁性金属箔３０の隣接部同士が導電テープ３５を介して導通し、加熱ローラ２の軸方向に沿って非発熱部が発生せず、発熱分布が一定であって、加熱ローラ４２を効率良く加熱できる。
次に、第３の変形例は、図７の（ｃ）に表したように、加熱ローラ４３は、弾性体からなる円筒型支持部３１の表面に磁性金属箔３０が螺旋状に巻き付けて構成されている。この際、円筒型支持部３１の表面において、磁性金属箔３０の互いに隣接する間隙に、この両側縁が導通するように導電性の充填剤３８が充填されている。
【００５２】
第３の変形例によれば、磁性金属箔３０の隣接部同士が充填剤３８を介して導通し、加熱ローラ２の軸方向に沿って非発熱部が発生せず、発熱分布が一定であって、加熱ローラ４３を効率良く加熱できる。
次に、第４の変形例は、図７の（ｄ）に表したように、加熱ローラ４４は、弾性体からなる円筒型支持部３１の表面に磁性金属箔３０が螺旋状に巻き付けて構成されている。この際、磁性金属箔３０の表面に、熱伝導層３９が形成されている。
【００５３】
第４の変形例によれば、加熱ローラ４４表面の温度バラツキを低減させることができる。
次に、第５の変形例は、図７の（ｅ）に表したように、加熱ローラ２は、弾性体からなる円筒型支持部３１の表面に短冊の磁性金属箔３０が螺旋状に巻き付けて構成されている。この際、磁性金属箔３０の両側縁に傾斜面３２、３３が形成され、この傾斜面３２、３３が重なるように巻き付けられている。
【００５４】
第５の変形例によれば、磁性金属箔３０の両側縁の傾斜面３２、３３が重なることで磁性金属箔３０の隣接部同士が導通し、加熱ローラ２の軸方向に沿って非発熱部が発生せず、発熱分布が一定であって、加熱ローラ２を効率良く加熱できる。
【００５５】
次に、第６の変形例（図示なし）によれば、加熱ローラ２は、弾性体からなる円筒型支持部３１の表面に、短冊の磁性金属箔３０が幅方向の縁端部が互いに重なり合うように巻き付けて構成される。
第６の変形例によれば、磁性金属箔３０の隣接部同士が導通し、加熱ローラ２の軸方向に沿って非発熱部が発生せず、発熱分布が一定であって、加熱ローラ２を効率良く加熱できる。
【００５６】
（実施の形態２）
次に、本発明の定着装置を用いた画像形成装置を、図８を用いて説明する。
図８は本実施例の定着装置を用いた画像形成装置の全体構成を表す図である。
図８は、一実施例の画像形成装置としてのカラーレーザープリンタ１０１の機械的構成を概略的に示す図である。
【００５７】
図８において、このカラーレーザープリンタ１０１は、本体ケーシング１０２内に、記録媒体としての記録用紙１０３を給紙するための給紙部１０４や、給紙された記録用紙１０３に所定の画像を未定着の姿で転写するための画像形成部１０５などを備えて画像形成装置を構成している。
【００５８】
給紙部１０４は、給紙トレイ１０６に積層されている。そして、給紙トレイ１０６の最上位にある用紙１０３は、給紙ローラ１０７の回転によって１枚毎に給紙され、搬送ローラ１０８及びレジストローラ１０９によって画像形成部１０５に搬送される。
【００５９】
画像形成部１０５は、所定の画像データに基づいて後述の感光ベルト１２２の表面にレーザ光を走査し潜像を形成するスキャナユニット１１０と、例えばトナーなどの現像材を感光ベルト１２２に転写するプロセス部１１１、中間転写ベルト機構部１１２、転写ローラ１１３、定着装置１１４などを備えている。
【００６０】
スキャナユニット１１０は、潜像形成手段として機能するものであり、図示しないレーザ発光部、ポリゴンミラー、複数のレンズ及び反射鏡を備えている。そして、このスキャナユニット１１０では、所定の画像データに基づいてレーザ発光部から出射されたレーザビームを、反射鏡及びレンズを介して透過あるいは反射させて、後術する感光ベルト機構部１１６の感光ベルト１２２の表面上において高速走査するように構成されている。
【００６１】
プロセス部１１１は、現像カートリッジ１１５（１１５Ｙ、１１５Ｍ、１１５Ｃ、１１５Ｋ）、感光ベルト機構部１１６及びスコロトロン型帯電器１１７などを備えている。
現像カートリッジ１１５は、本実施例では、イエローのトナーを供給するためのイエロー現像カートリッジ１１５Ｙ、マゼンタのトナーを供給するためのマゼンタ現像カートリッジ１１５Ｍ、シアンのトナーを供給するためのシアン現像カートリッジ１１５Ｃ、ブラックのトナーを供給するためのブラック現像カートリッジ１１５Ｙ、の４つを備えている。
【００６２】
各現像カートリッジ１１５のトナー収容部には、イエロー、マゼンタ、シアン及びブラックの各色の現像剤として、正帯電性のトナーがそれぞれ収容されており、そのトナーが供給ローラ（図示せず）の回転によって、現像ローラ１１８に供給されると、層厚規制ブレード（図示せず）によって、一定厚みの薄層として現像ローラ１１８上に担持される。このとき、このトナーは、正帯電され、静電気力によって現像ローラ１１８上に担持されるものである。
【００６３】
感光ベルト機構部１１６は、第１感光ベルトローラ１１９、第２感光ベルトローラ１２０、第３感光ベルトローラ１２１を３角形状にそって配置されており、その周囲に巻回される感光ベルト１２２が備えられている。
感光ベルト１２２は、表面にアルミが蒸着されたＰＥＴ（ポリエチレンテレフタレート）などの樹脂からなり、その表面に有機感光層を備えている。この感光ベルト１２２は、第２感光ベルトローラ１２０が駆動部（図示せず）により回転駆動されることによって、周回移動（図６において、反時計方向に周回移動）する。
【００６４】
そして、第２感光ベルトローラ１２０が回転駆動されるとともに、第１感光ベルトローラ１１９および第３感光ベルトローラ１２１が従属回転し、感光ベルト１２２が周回移動する。
次に、中間転写ベルト機構部１１２は、感光ベルト機構部１１６に隣接して配置されており、第２感光ベルトローラ１２０に感光ベルト１２２及び中間転写ベルト１２６を介し対向配置される第１中間転写ベルトローラ１２３と、後述する転写ローラ１１３と中間転写ベルト１２６を介して対向配置される第２中間転写ベルトローラ１２４と、第１中間転写ベルトローラ１２３と第２中間転写ベルトローラ１２４とともに三角形状に配置される第３中間転写ベルトローラ１２５と、第１中間転写ベルトローラ１２３ないし第３中間転写ベルトローラ１２５の周りに巻回される中間転写ベルト１２６を備えている。
【００６５】
中間転写ベルト１２６は、カーボンなどの導電性粒子を分散した耐熱性樹脂からなり、転写位置Ａにて感光ベルト１２２と接触しながら周回移動（図６中時計方向に周回移動）する。そして、感光ベルト１２２上に形成されているトナー画像が中間ベルト１２６に転写される。本実施例では、トナーを４色備えているので、感光ベルト１２２は、更に周回されて、除電器と接続したクリーニングローラ１３５によりクリーニングが行われ、帯電器１１７により再び帯電される。次いで、次の色の静電画像が形成され、中間転写ベルト１２６に先に転写されたカラー画像に重ね合わされる。これを４色分繰り返すことによって中間転写ベルト１２６上に４色のカラー画像が転写される。
【００６６】
次に、転写ローラ１１３は、中間転写ベルト１２６の表面と接触および離間するように、中間転写ベルト１２６を挟んで、第２中間転写ベルトローラ１２４に対向する位置に移動可能に配置されている。そして、転写ローラ１１３は、用紙１０３の搬送時には中間転写ベルト１２６に接触し、所定の転写バイアスが印加される。そして、中間転写ベルト１２６上に形成されたカラー画像が中間転写ベルト１２６と転写ローラ１１３との間を通る用紙１０３に、４色のカラー画像が一括転写される。
【００６７】
ここで、記録用紙１０３上に転写されたカラー画像は、未定着な状態であるので、後述の定着装置にこの記録用紙を搬送して、カラー画像を定着させる。
定着装置１１４は、前記実施の形態１に記載した定着装置１と同様の構成を有する。そして、記録用紙１０３が加熱ローラ１２７と加圧ローラ１２８との間を通過する間に熱定着させる。
【００６８】
そして、定着装置１１４において、カラー画像が定着された記録用紙１０３は、搬送ローラ１２９によって１対の排紙ローラ１３０に向けて搬送され、排紙トレイ１３１に排出される。
前記の構成を有する実施形態２の画像形成装置によれば、実施の形態１と同一の構成を有し優れた加熱効率を有するとともに製造が容易な定着装置１１４を備えたので、画像の定着性と再現性、生産性等を向上させることができる。
【００６９】
以上、本発明の一実施形態について説明したが、本発明は、上記実施例に限定されるものではなく、種々の態様をとることができる。
例えば、本実施の形態１の定着装置によれば、加熱ローラ２の磁性金属箔３０の表面に、熱伝導層４０と離型層４１の二層を積層したが、例えば、フッソ樹脂中に導電性フィラーを混合させ、熱伝導性と離型性を兼ね備えた樹脂から成る一層を積層しても良い。
【００７０】
また、本実施の形態１の定着装置によれば、電磁誘導発熱層として磁性金属箔を用いたが、電磁誘導発熱し加熱効率が良いものなら、他の無機物からなるシートでも良く、例えば磁性を有すると共に熱伝導性に優れたグラファイトシートなどを用いても良い。
【００７１】
また、コイル９は支持体６の外周面に沿って巻いたが、加熱ローラ２からの輻射熱の影響が少ない場合は、支持体６の内面に沿って巻きつけてもよい。
また、実施の形態２の画像形成装置によれば、４色のカラー画像を形成するものとしたが、モノクロ画像や４色以外の複色画像の形成装置であってもよい。また、実施の形態２の画像形成装置によれば、記録用紙の表面にカラー画像を形成するものとしたが、片面にカラー画像を定着させた後に、さらに反転させて、表面と同様に裏面にカラー画像を形成してもよい。
【図面の簡単な説明】
【図１】本発明が適用された実施の形態１の、定着装置の構成を表す外観斜視図である。
【図２】同実施の形態１の、図１における矢視Ｄ図である。
【図３】同実施の形態１の、図１におけるＹ−Ｙ断面図である。
【図４】同実施の形態１の、図１におけるＺ−Ｚ断面図である。
【図５】図１の加熱ローラにおける磁性金属箔の巻き形状を表す外観図である。
【図６】磁性金属箔の巻き形状の変形例を表す外観図である。
【図７】同実施の形態１の、図１における加熱ローラを表す断面図とその変形例を表す断面図である。
【図８】本発明が適用された実施の形態２の、画像定着装置の構成を表す外観斜視図である。
【符号の説明】１…定着装置、２，４２，４３，４４，４５…加熱ローラ、３…電磁誘導加熱手段、４…加圧ローラ、５…固定具、６…支持体、７…加熱ローラの軸線方向の両端、８…加熱ローラの軸線方向に平行な両辺、９…コイル、１１，１２…側壁、１３、２４…軸受け、１５…駆動回転軸、１７…隅部、１８…励磁回路部、２０，２３…回転軸、２２…連結部、２５…ギア、３０，３４，３７…短冊の磁性金属箔、３１…弾性体からなる円筒型支持部、３２，３３…傾斜面、３５…導電テープ、３６…間隙、３８…導電性の充填材、３９，４０…熱伝導層、４１…離型層、１０１…カラーレーザープリンタ、１０２…本体ケーシング、１０３…記録用紙、１０４…給紙部、１０５…画像形成部、１１０…スキャナユニット、１１１…プロセス部、１１２…中間転写ベルト機構部、１１３…転写ローラ、１１４…定着装置、１１５…現像カートリッジ、１１６…感光ベルト機構部、１１８…現像ローラ、１２２…感光ベルト、１２６…中間転写ベルト、１３０…排紙ローラ、１３１…排紙トレイ。
【図１】
2004117864.tif 000003
【図２】
2004117864.tif 000004
【図３】
2004117864.tif 000005
【図４】
2004117864.tif 000006
【図５】
2004117864.tif 000007
【図６】
2004117864.tif 000008
【図７】
2004117864.tif 000009
【図８】
2004117864.tif 000010